(57)【要約】【課題】ユーザが所望とする場所の環境状態を測定可能な環境測定装置、及び当該環境測定装置で測定された環境状態に基づいて当該場所の風速をリアルタイム、あるいは事後的に再現する送風システム等を提供する。【解決手段】環境測定装置は、携帯端末、扇風機と通信自在で、設置場所の風速を測定する計測部３と、計測された風速信号を風速データに変換する符号化部２ｂと、風速データを含むファイルを生成するファイル生成部２ｃと、ファイルを携帯端末、扇風機に送信する通信部６とを備え、携帯端末を介して又は直接的に扇風機に風速データを含むファイルを送信することで、当該扇風機にて風速データに基づく風速での送風再生を促す。加えて既存の風速データを含むファイルを携帯端末又はパーソナルコンピュータで編集し、扇風機等に送信することでユーザが所望とする独自の風パターンの再生環境を提供する。【選択図】図２
2017048777.tif 000002
【特許請求の範囲】
【請求項１】
環境データを収集する環境測定装置と、携帯端末と、扇風機とが通信自在に接続された送風システムであって、
上記環境測定装置は、
少なくとも設置場所の風速を測定する計測部と、
上記計測部で計測された風速信号を風速データに変換する符号化部と、
上記風速データを含むファイルを生成するファイル生成部と、
上記ファイルを携帯端末あるいは扇風機に送信する第１の通信部と、
を備え、
上記携帯端末は、
上記環境測定装置、及び上記扇風機と通信する第２の通信部と、
上記環境測定装置からのファイルを受信し、当該ファイルを上記扇風機に送信するよう制御する主制御部と、
を備え、
上記扇風機は、
上記環境測定装置、及び上記携帯端末と通信する第３の通信部と、
フィンを駆動するための駆動部と、
上記風速データを含むファイルより風速データを抽出するデータ抽出部と、
上記風速データに基づいて上記駆動部の回転数を制御する制御部と、
を備えた、
ことを特徴とする送風システム。
【請求項２】
環境データを収集する環境測定装置と、扇風機とが通信自在に接続された送風システムであって、
上記環境測定装置は、
少なくとも設置場所の風速を測定する計測部と、
上記計測部で計測された風速信号を風速データに変換する符号化部と、
上記風速データを含むファイルを生成するファイル生成部と、
上記ファイルを扇風機に送信する第１の通信部と、
を備え、
上記扇風機は、
上記環境測定装置と通信する第２の通信部と、
フィンを駆動するための駆動部と、
上記風速データを含むファイルより風速データを抽出するデータ抽出部と、
上記風速データに基づいて上記駆動部の回転数を制御する制御部と、
を備えた、
ことを特徴とする送風システム。
【請求項３】
環境測定装置が収集した環境データに係るファイルを保持するためのデータベースを有するサーバ装置と通信自在な携帯端末と、扇風機とからなる送風システムであって、
上記携帯端末は、
上記サーバ装置、及び上記扇風機と通信する第１の通信部と、
上記サーバ装置より風速データを含む環境データに係るファイルを取得し、当該ファイルを上記扇風機に送信するよう制御する主制御部と、
を備え、
上記扇風機は、
上記携帯端末と通信する第２の通信部と、
フィンを駆動するための駆動部と、
上記ファイルより上記風速データを抽出するデータ抽出部と、
上記風速データに基づいて上記駆動部の回数数を制御する制御部と、
を備えた、
ことを特徴とする送風システム。
【請求項４】
環境データに係るファイルを生成する環境測定装置と通信自在であり、当該環境データに基づく送風の再現が扇風機で実現されるように支援するサーバ装置であって、
上記環境測定装置、及び携帯端末と通信する通信部と、
上記環境データに係るファイルを保持するためのデータベースと、
上記データベースに上記環境測定装置、或は上記携帯端末から送信された環境データに係るファイルを登録するファイル登録部と、
上記携帯端末からの要求に基づき上記データベースより環境データに係るファイルを抽出するファイル抽出部と、
上記抽出したファイルを上記携帯端末に送信するよう制御する主制御部と、を備える
サーバ装置。
【請求項５】
環境データを収集する環境測定機能を備えた遠隔操作装置と、扇風機とが通信自在に接続された送風システムであって、
上記遠隔操作装置は、
少なくとも設置場所の風速を測定する計測部と、
上記計測部で計測された風速信号を風速データに変換する符号化部と、
上記風速データを含むファイルを生成するファイル生成部と、
上記ファイルを扇風機に送信する第１の通信部と、
を備え、
上記扇風機は、
上記遠隔操作装置と通信する第２の通信部と、
フィンを駆動するための駆動部と、
上記風速データを含むファイルより上記風速データを抽出するデータ抽出部と、
上記風速データに基づいて上記駆動部の回転数を制御する制御部と、
を備えた、
ことを特徴とする送風システム。
【請求項６】
環境データを収集する環境測定装置と、携帯端末と、エアコンとが通信自在に接続された送風システムであって、
上記環境測定装置は、
少なくとも設置場所の風速を測定する計測部と、
上記計測部で計測された風速信号を風速データに変換する符号化部と、
上記風速データを含むファイルを生成するファイル生成部と、
上記ファイルを上記携帯端末あるいは上記エアコンに送信する第１の通信部と、
を備え、
上記携帯端末は、
上記環境測定装置、及び上記扇風機と通信する第２の通信部と、
上記環境測定装置からのファイルを受信し、当該ファイルを上記エアコンに送信するよう制御する主制御部と、
を備え、
上記エアコンは、
上記環境測定装置、及び上記携帯端末と通信する第３の通信部と、
送風を行う送風部と、
上記風速データを含むファイルより上記風速データを抽出するデータ抽出部と、
上記風速データに基づいて上記送風部による送風の風量を制御する風量制御部と、
を備えた、
ことを特徴とする送風システム。
【請求項７】
環境データを収集する環境測定機能を備えた遠隔操作装置と、エアコンとが通信自在に接続された送風システムであって、
上記遠隔操作装置は、
少なくとも設置場所の風速を測定する計測部と、
上記計測部で計測された風速信号を風速データに変換する符号化部と、
上記風速データを含むファイルを生成するファイル生成部と、
上記ファイルを扇風機に送信する第１の通信部と、
を備え、
上記エアコンは、
上記環境測定装置、及び上記携帯端末と通信する第２の通信部と、
送風を行う送風部と、
上記風速データを含むファイルより上記風速データを抽出するデータ抽出部と、
上記風速データに基づいて上記送風部による送風の風量を制御する風量制御部と、
を備えた、
ことを特徴とする送風システム。
【請求項８】
環境データを収集する環境測定装置と、扇風機とが通信自在に接続された送風システムであって、
上記環境測定装置は、
少なくとも設置場所の風速を測定する計測部と、
上記計測部で計測された風速信号を風速データに変換する符号化部と、
上記風速データを含むファイルを生成するファイル生成部と、
上記ファイルを扇風機に送信する第１の通信部と、
上記測定値に基づいて風速を検出する第１の主制御部と、
を備え、
上記扇風機は、
上記環境測定装置と通信する第２の通信部と、
フィンを駆動するための駆動部と、
上記風速データを含むファイルより上記風速データを抽出するデータ抽出部と、
上記風速データに基づいて上記駆動部の回転数を制御する風量制御部と、
補正データを記憶部に記憶する第２の主制御部と、
補正データを記憶する記憶部と、
を備え、
上記環境測定装置は、第１の主制御部が風速を徐々に加速するような風速データを連続的に送信し、上記記扇風機は、上記風速データを受信し、上記風量制御部による回転数制御を実行し、上記環境測定装置は、上記計測部が風速を計測し、上記主制御部が現在の風速を検出し、基準値となる風速に現在の風速が合致すると合致信号を上記扇風機に送信し、上記扇風機は、上記合致信号を受信すると、上記第２の主制御部が基準値と風速データとの対応関係を補正データとして上記記憶部に記憶する
ことを特徴とする送風システム。
【請求項９】
環境データを収集する機能を備えた遠隔操作装置と、扇風機とが通信自在に接続された送風システムであって、
上記遠隔操作装置は、
少なくとも設置場所の風速を測定する計測部と、
上記計測部で計測された風速信号を風速データに変換する符号化部と、
上記風速データを含むファイルを生成するファイル生成部と、
上記ファイルを扇風機に送信する第１の通信部と、
上記測定値に基づいて風速を検出する第１の主制御部と、
を備え、
上記扇風機は、
上記環境測定装置と通信する第２の通信部と、
フィンを駆動するための駆動部と、
上記風速データを含むファイルより上記風速データを抽出するデータ抽出部と、
上記風速データに基づいて上記駆動部の回転数を制御する風量制御部と、
補正データを記憶部に記憶する第２の主制御部と、
補正データを記憶する記憶部と、
を備え、
上記遠隔操作装置は、第１の主制御部が風速を徐々に加速するような風速データを連続的に送信し、上記記扇風機は、上記風速データを受信し、上記風量制御部による回転数制御を実行し、上記遠隔操作装置は、上記計測部が風速を計測し、上記主制御部が現在の風速を検出し、基準値となる風速に現在の風速が合致すると合致信号を上記扇風機に送信し、上記扇風機は、上記合致信号を受信すると、上記第２の主制御部が基準値と風速データとの対応関係を補正データとして上記記憶部に記憶する
ことを特徴とする送風システム。
【請求項１０】
環境データに係るファイルを生成する環境測定装置と環境測定装置が収集した環境データに係るファイルを保持するためのデータベースを有するサーバ装置と通信自在な操作端末と、扇風機とが通信自在に接続された送風システムであって、
上記操作端末は、
上記扇風機と通信する第１の通信部と、
上記環境測定装置、及びサーバ装置より風速データを含む環境データに係るファイルを取得し、環境データに係る風速データを含むファイルを編集し、編集した環境データに係るファイルを上記扇風機に送信するよう制御する主制御部と、
を備え、
上記扇風機は、
上記操作端末と通信する第２の通信部と、
フィンを駆動するための駆動部と、
上記風速情報ファイルより上記風速データを抽出するデータ抽出部と、
上記風速データに基づいて上記駆動部の回転数を制御する制御部と、を備えた
ことを特徴とする送風システム。
【発明の詳細な説明】
【技術分野】
【０００１】
この発明は、例えば風速や温度等の環境状態を測定する環境測定装置等に係り、特に所望とする場所の環境状態を測定する環境測定装置、及び扇風機等により当該環境状態に係る風速での送風を実現可能とした送風システム等に関する。
【背景技術】
【０００２】
従来、スイッチの切り替えにより風速の調整が可能な扇風機がある。また、設置場所の温度等に基づいて自動的に風速の調整を行う扇風機もある。
【０００３】
例えば、特許文献１は、温度センサの測定温度に基づいてファン用モータの駆動を制御する扇風機を開示する。一方、特許文献２は、温度センサで検知した温度と湿度センサで検知した湿度から不快指数を算出し、不快指数により風量を制御する扇風機を開示する。
【先行技術文献】
【特許文献】
【０００４】
【特許文献１】特開２０１２−  ９７６２５号公報
【特許文献１】特開２０１１−１２２５５０号公報
【発明の概要】
【発明が解決しようとする課題】
【０００５】
しかしながら、特許文献１，２の扇風機は、扇風機自体の設置場所の温度等に基づいて風量を制御するものであって、ユーザが再現を所望とする場所の環境状態に基づいて風量を再現することは開示していない。
【０００６】
即ち、ユーザが所望とする場所で環境状態を測定し、測定した環境状態に基づいてリアルタイムに、あるいは事後的に、当該場所の風速を再現するシステムを開示していない。
【０００７】
本発明の目的は、ユーザが所望とする場所の環境状態を測定可能な環境測定装置、及び当該環境測定装置で測定された環境状態に基づいて当該場所の風速をリアルタイム、あるいは事後的に再現する送風システム等を提供することにある。また、既存の風速情報ファイルを携帯端末又はパーソナルコンピュータで編集し、扇風機等に送信することで、ユーザが所望とする独自の風パターンの再生環境を提供することにある。
【課題を解決するための手段】
【０００８】
上記課題を解決するため、本発明の一つの態様に係る送風システムは、環境データを収集する環境測定装置と、携帯端末と、扇風機とが通信自在に接続された送風システムであって、上記環境測定装置は、少なくとも設置場所の風速を測定する計測部と、上記計測部で計測された風速信号を風速データに変換する符号化部と、上記風速データを含むファイルを生成するファイル生成部と、上記ファイルを携帯端末あるいは扇風機に送信する第１の通信部と、を備え、上記携帯端末は、上記環境測定装置、及び上記扇風機と通信する第２の通信部と、上記環境測定装置からのファイルを受信し、当該ファイルを上記扇風機に送信するよう制御する主制御部と、を備え、上記扇風機は、上記環境測定装置、及び上記携帯端末と通信する第３の通信部と、フィンを駆動するための駆動部と、上記風速データを含むファイルより風速データを抽出するデータ抽出部と、上記風速データに基づいて上記駆動部の回転数を制御する制御部とを備えたことを特徴としている。加えて、既存の風速情報ファイル（環境データに係る風速データを含むファイルなど）を、使用者の好みに合わせて携帯端末又はパーソナルコンピュータで編集する機能を有する。
【発明の効果】
【０００９】
この発明によれば、ユーザが所望とする場所の環境状態を測定可能な環境測定装置、及び当該環境測定装置で測定された環境状態に基づいて当該場所の風速をリアルタイム、あるいは事後的に再現する送風システム等を提供できる。加えて、既存の風速情報ファイル（環境データに係る風速データを含むファイルなど）を、使用者の好みに合わせて携帯端末又はパーソナルコンピュータで編集し、扇風機等に送信することで、ユーザが所望とする独自の風パターンの再生環境を提供することもできる。
【図面の簡単な説明】
【００１０】
【図１】本発明の第１実施形態に係る送風システムの構成図である。
【図２】環境測定装置の構成図である。
【図３】携帯端末の構成図である。
【図４】扇風機の構成図である。
【図５】サーバの構成図である。
【図６】制御装置の構成図である。
【図７】風速データと印加電圧パターンとの関係を示す図である。
【図８】風速データと印加電圧パターンとの関係を示す図である。
【図９】環境測定装置と携帯端末、扇風機間での処理の流れを示す図である。
【図１０】環境測定装置と扇風機間での処理の流れを示す図である。
【図１１】サーバ装置と携帯端末、扇風機間での処理の流れを示す図である。
【図１２】画面構成例を示す図である。
【図１３】画面構成例を示す図である。
【図１４】画面構成例を示す図である。
【図１５】画面構成例を示す図である。
【図１６】サーバ装置と携帯端末、制御装置間での処理の流れを示す図である。
【図１７】本発明の第２実施形態で採用する扇風機の構成例を示す図である。
【図１８】本発明の第３実施形態で採用するエアコンの構成例を示す図である。
【図１９】本発明の第２実施形態で採用する遠隔操作装置の構成例を示す図である。
【図２０】本発明の改良例に係る補正機能を説明するフローチャートである。
【発明を実施するための形態】
【００１１】
以下、図面を参照しつつ本発明の実施形態について説明する。
【００１２】
（第１実施形態）
【００１３】
（扇風機システム）
図１には、本発明の第１実施形態に係る送風システムの構成を示し説明する。
同図に示されるように、この第１実施形態に係る送風システム１００は、次のいずれかの組み合わせにより構成される。
・環境測定装置１、携帯端末１０、扇風機２０
・環境測定装置１、扇風機２０
・サーバ装置３０、携帯端末１０、扇風機２０
・環境測定装置１、携帯端末１０、制御装置５０及び扇風機４０
・環境測定装置１、制御装置５０及び扇風機４０
・サーバ装置３０、携帯端末１０、制御装置５０及び扇風機４０
【００１４】
環境測定装置１は、風速測定部３ａ、温度測定部３ｂ、湿度測定部３ｃ、照度測定部３ｄを備えており、電源スイッチ９によりＯＮ／ＯＦＦの切り替えが可能となっている。また、測定により得られた環境データ等を表示部４に表示可能である。この環境測定装置１は、携帯端末１０、扇風機２０、サーバ装置３０とインターネット等のネットワーク６０等を介して通信自在となっている。通信可能な環境下であれば、扇風機２０等から遠隔の地に複数設置することもできる。環境測定装置１は、測定により得られた環境データ等をファイル化して、携帯端末１０やサーバ装置３０等に送信する。あるいは、環境測定装置１は、測定により得られた風速データを扇風機２０にリアルタイムで送信することもできる。
【００１５】
携帯端末１０は、例えば携帯電話機、スマートフォン、タブレット端末、ノート型パーソナルコンピュータ（以下、ＰＣと略記）等からなる。携帯端末１０は、環境測定装置１からの環境データに係るファイルを受信し、当該ファイルを扇風機２０に送信する。あるいは、サーバ装置３０から環境データに係るファイルを受信し、当該ファイルを扇風機２０に送信する。携帯端末１０は、環境データに係るファイルを複数保持し、その中からユーザが所望とするファイルを選択可能とし、ユーザにより選択されたファイルを扇風機２０に送信できる。なお、携帯端末１０に代えて、デスクトップ型ＰＣを用いることもできる。その場合、デスクトップ型ＰＣは、携帯端末１０と同じように機能する。この点は後述する第２乃至第４実施形態についても同様である。携帯端末とデスクトップ型ＰＣとを総称するときは操作端末と呼ぶこととする。
【００１６】
扇風機２０は、環境データに係るファイルを受信すると、環境データの中から風速データを抽出し、当該風速データに基づくモータの回転数制御を実行する。
モータには、大きく分けて以下の形式がある。
・ブラシモータ
−ＤＣモータ
−ＡＣモータ
・ブラシレスモータ
−ブラシレスＤＣモータ
−スイッチトリラクタンスモータ
−ステッピングモータ
−超音波モータ
【００１７】
現在、扇風機、エアコン、カーエアコンのファン駆動に使用されるモータは、ＤＣ／ＡＣのブラシモータの他、ブラシレスＤＣモータがある。ブラシレスＤＣモータの制御にはマイクロプロセッサを使用するため、メーカーによってはデジタルモータとも称されている。モータの形式により回転数の制御方法は異なるが、本実施形態の目的はユーザが体感する風速の制御であるので、モータ自体の回転数の制御は種々の方法による。
【００１８】
例えば、ＤＣ／ＡＣブラシモータでは、風速データに対応する印加電圧パターンを求めて、当該印加電圧パターンを復号化して、モータへの印加電圧を制御することで、環境測定装置１等により測定された風速での送風を再現するのも一例である。
【００１９】
一方、扇風機２が、パルス変調方式（PWM；Pulse Width Modulation）などを使用するブラシレスＤＣモータによりフィンを回転させる構成のものであれば、環境データに係るファイルの中から風速データを抽出した後、それを電気パルス信号に変換し当該電気パルス信号により機械的に断続するステップ動作を当該ブラシレスＤＣモータにより実行することで、所定の風量の再現を実現する。ブラシレスＤＣモータの回転速度は入力される電気パルス信号の周波数に比例する関係にあるため、広範囲の回転速度を実現できる。また、ブラシレスＤＣモータは、電気パルス信号によりオープンループで正確に制御することが可能である。さらに、ブラシＤＣモータを採用する場合では、ブラシＤＣモータは固定子に永久磁石を用いて回転子、つまり電機子にコイルを用いて構成されている。回転子に流れる電流の向きを切換えることで、回転力を生成する特徴を有しているので、風速データに基づいて通電パターンを切換えることで、モータの回転数を制御することが可能である。
【００２０】
サーバ装置３０は、環境測定装置１から予め定められた所定のタイミングで、あるいはユーザ、業者により所望された任意のタイミングで送信される環境データに係るファイルをデータベース（以下、ＤＢと略記）に登録し、携帯端末１０から送信される環境データに係るファイルをＤＢに登録する。また、携帯端末１０より、環境データ等に係るファイルのダウンロード要求があった場合、要求されたファイルをＤＢより読み出し、携帯端末１０に送信する。サーバ装置３０は、複数の場所に設置された複数の環境測定装置１からのファイルを選択可能に保持する。このとき、複数のファイルを所定のカテゴリに分類して、カテゴリ別に選択可能に保持してもよい。
【００２１】
制御装置５０は、市販されている一般的な扇風機４０に対しても、本実施形態に係る送風システムとしての利用を可能とするためのものである。即ち、制御装置５０は、携帯端末１０等からの環境データに係るファイルを受信する。そして、ファイルより風速データを抽出して対応する印加電圧パターンを求め、当該印加電圧パターンを復号化し、プラグ（電源供給端子）に接続された扇風機４０に対する供給電圧を制御する。これにより、制御装置５０に接続された扇風機４０による風速再生が可能となる。なお、この制御装置５０は、ブラシモータ、ブラシレスモータのいずれを採用している扇風機に対しても制御可能であり、環境データに係るファイルの中から風速データを抽出し、当該風速データに基づいてモータの回転数を制御することになる。
【００２２】
以下、各装置等の詳細な構成について更に説明する。
【００２３】
（環境測定装置１）
図２には本発明の実施形態係る環境測定装置１の構成を示し説明する。
【００２４】
同図に示されるように、環境測定装置１は、全体の制御を司る制御部２、計測部３、表示部４、操作部５、通信部６、記憶部７、電源８、そして電源スイッチ（ＳＷ）９を備えている。制御部２は、記憶部７に記憶された制御プログラムを読み出し実行することで主制御部２ａ、符号化部２ｂ、ファイル生成部２ｃ、表示制御部２ｄとして機能する。計測部３は、環境測定用の各種センサからなり、風速測定部３ａ、温度測定部３ｂ、湿度測定部３ｃ、照度測定部３ｄを備えている。
【００２５】
このような構成において、計測部３では、風速測定部３ａが風速を測定し、風速信号を制御部２へと送る。温度測定部３ｂは温度を測定し、温度信号を制御部２へと送る。湿度測定部３ｃは湿度を測定し、湿度信号を制御部２へと送る。そして、照度測定部３ｄは照度を測定し、照度信号を制御部２へと送る。制御部２では、これらのアナログ信号を受けると、符号化部２ｂが該信号を符号化（デジタル化）し、風速データ、温度データ、湿度データ、照度データにそれぞれ変換する。そして、ファイル生成部２ｃが、これら風速データ、温度データ、湿度データ、照度データを、環境データとして１つのファイルにまとめる。主制御部２ａは、環境データに係るファイルを、通信部６を介して携帯端末１０等に送信する。あるいは、主制御部２ａは、風速データのみを、通信部６を介して、扇風機２０、あるいは制御装置５０に送信する。主制御部２ａは、環境データに係るファイルの送信先アドレスが設定されている場合には、当該アドレスに、所定のタイミングでファイルを、あるいはリアルタイムで風速データを送信するように制御することもできる。
【００２６】
環境測定装置１の各部には、電源８より電源供給されており、電源スイッチ９によりＯＮ／ＯＦＦの切り替えが可能となっている。表示制御部２ｄは、表示部４に環境データに係る測定値等を表示するよう制御する。このほか、操作部５は、計測部３の各部３ａ乃至３ｄの中から測定対象を選択するなど、各種操作を行うものである。この選択された内容は表示制御部２ｄの制御により表示部４に表示してもよい。
【００２７】
通信部６は、例えば、Bluetooth（登録商標）（IEEE802.151）、Wi-Fi（IEEE802.11）、Ethernet（登録商標）（IEEE802.3）等をはじめとする各種通信方式により、携帯端末１０やサーバ装置３０、制御装置５０、そして扇風機２０との通信が可能である。
【００２８】
（携帯端末１０）
図３には本発明の実施形態係る携帯端末１０の構成を示し説明する。
【００２９】
同図に示されるように、携帯端末１０は、端末全体の制御を司る制御部１１、通信部１２、操作部１３、表示部１４、記憶部１５を備えている。制御部１１は、記憶部１５に記憶された制御プログラムを読み出し実行することで主制御部１１ａ、ファイル登録・取得部１１ｂ、再生部１１ｃ、表示制御部１１ｄとして機能する。操作部１３と表示部１４をタッチパネルにより一体に構成してもよい。
【００３０】
このような構成において、通信部１２が環境測定装置１から送られた環境データに係るファイルを受信すると、制御部１１では、主制御部１１ａが通信部１２を介して当該ファイルを、扇風機２０、あるいは制御装置５０に転送する。ファイル登録部・取得部１１ｂは、環境測定装置１から送られた環境データに係るファイルを、サーバ装置３０にアップロードする。ファイル登録部・取得部１１ｂは、サーバ装置３０にて管理されている複数の環境データに係るファイルより所望とするファイルをダウンロードする。既に記憶部１５に複数の環境データに係るファイルが格納されている場合、表示部１４にファイル名等を選択可能に表示し、操作部１３の操作により１つが選択されると、再生部１１ｃが記憶部１５の中から当該ファイルを選択し、主制御部１１ａが通信部１２を介して当該ファイルを扇風機２０、或は制御装置５０に送信する。
【００３１】
通信部１２は、Bluetooth（登録商標）（IEEE802.151）、Wi-Fi（IEEE802.11）、Ethernet（登録商標）（IEEE802.3）等をはじめとする各種通信方式により、環境測定装置１や制御装置５０、そして扇風機２０との通信が可能である。
【００３２】
（扇風機２０）
図４には本発明の実施形態係る扇風機２０の構成を示し説明する。
【００３３】
同図に示されるように、扇風機２０は、全体の制御を司る制御部２１、通信部２２、記憶部２５、操作部２６、モータ２３、フィン２４を備えている。制御部２１は、記憶部２５に記憶された制御プログラムを読み出し実行することで主制御部２１ａ、データ抽出部２１ｂ、風量制御部２１ｆ（変換部２１ｃ、復号化部２１ｃ、モータ駆動制御部２１ｅ）として機能する。
【００３４】
このような構成において、通信部２２は、主制御部２１ａの制御の下、携帯端末１０等から送られてきた環境データに係るファイルを受信する。データ抽出部２１ｂは、当該ファイルより風速データを抽出する。風量制御部２１ｆは、この風速データに基づいて、モータ２３の回転数を制御し、風量を制御する。モータ２３にＡＣ／ＤＣブラシモータを採用する場合には、回転数の制御は印加電圧による。即ち、変換部２１ｃは、記憶部２５に記憶されている印加電圧パターンに関するテーブルを参照して、風速データを印加電圧パターンに変換する。復号化部２１ｅは、デジタルの印加電圧パターンをアナログの印加電圧パターン信号に変換する。モータ駆動制御部２１ｅは、印加電圧パターン信号に基づいてモータ２３への印加電圧を制御する。これにより、モータ２３がフィン２４を所定の回転数で回転させ、風速データに対応する風速での送風が再現される。
【００３５】
環境測定装置１等から風速データのみが送信されてきた場合、通信部２２が主制御部２１ａの制御の下、当該風速データを受信する。変換部２１ｃは、当該風速データを印加電圧パターン信号に変換する。モータ駆動制御部２１ｅは、印加電圧パターン信号に基づいてモータ２３への印加電圧を制御する。これにより、モータ２３がフィン２４を所定の回転数で回転させ、風速データに対応する風速での送風が再現される。
【００３６】
通信部２２は、Bluetooth（登録商標）（IEEE802.151）、Wi-Fi（IEEE802.11）、Ethernet（登録商標）（IEEE802.3）等をはじめとする各種通信方式により、携帯端末１０や環境測定装置１等との通信が可能である。
【００３７】
なお、モータ２３としてブラシレスＤＣモータを採用する場合、変換部２１ｃは、風速データを電気パルス信号に変換する。モータ駆動制御部２１ｅは、電気パルス信号に基づいてモータ２３の回転数を制御する。これにより、モータ２３がフィン２４を所定の回転数で回転させ、風速データに対応する風速での送風が再現される。
【００３８】
（サーバ装置３０）
図５には本発明の実施形態係るサーバ装置３０の構成を示し説明する。
【００３９】
同図に示されるように、サーバ装置３０は、装置全体の制御を司る制御部３１、通信部３２、ＤＢ３３、ＤＢ３４、記憶部３５を備えている。制御部３１は、記憶部３５に記憶された制御プログラムを読み出し実行することで、主制御部３１ａ、ファイル登録部３１ｂ、ファイル抽出部３１ｃとして機能する。
【００４０】
このような構成において、通信部３２は、携帯端末１０等からアップロードされた環境データに係るファイルを受信すると、制御部３１のファイル登録部３１ｂが当該ファイルをＤＢ３３に登録する。このＤＢ３３には、環境データである気温（℃）、湿度（％）、照度（lux）、風速の各データに加えて、日時やコメント、測定場所の緯度、経度等のデータもファイル３３ａとして格納されている。ファイル形式や内在されるデータは、これに限定されるものではない。一方、携帯端末１０等よりダウンロード要求があると、当該要求を通信部３２が受信し、制御部３１のファイル抽出部３１ｃが要求のあったファイルをＤＢ３３より抽出する。主制御部３１ａは、当該ファイルを、通信部３２を介して携帯端末１０等に送信する。ＤＢ３４には、印加電圧パターンテーブルに係るファイル３４ａが格納されている。これは、一般的な扇風機４０を、制御装置５０を介して制御する場合に用いるテーブルである。扇風機４０の機種ごとに、風速データに対応する印加電圧パターンを算出できるようなテーブルとなっている。
【００４１】
（制御装置５０）
図６には本発明の実施形態に係る制御装置５０の構成を示し説明する。この制御装置５０は、一般的な扇風機４０に対しても、環境測定装置１で測定された環境データに基づく風速での送風の再現を可能ならしめる間接ユニットである。
【００４２】
同図に示されるように、制御装置５０は、装置全体の制御を司る制御部５１、通信部５２、記憶部５３、プラグ（電圧供給端子）５４を備えている。制御部５１は、記憶部５３に記憶された制御プログラムを読み出し実行することで、主制御部５１ａ、データ抽出部５１ｂ、変換部５１ｃ、復号化部５１ｄ、電圧制御部５１ｅとして機能する。電圧供給端子５４には、一般的な扇風機４０の電源コンセントが差し込まれる。
【００４３】
このような構成において、通信部５２が携帯端末１０等から送られてきた環境データに係るファイルを受信すると、制御部５１では、データ抽出部５１ｂが当該ファイルより風速データを抽出する。そして、変換部５１ｃが、記憶部５３に記憶されているテーブルを参照して、風速データを印加電圧パターンに変換する。続いて、復号化部５１ｄは、デジタルの印加電圧パターンをアナログの印加電圧パターン信号に変換する。そして、電圧制御部５１ｅは、印加電圧パターン信号に基づいてプラグ５４を介して扇風機４０へ供給する電圧を制御する。これにより、扇風機４０では、プラグ５４を介して供給される電圧によりモータが回転され、風速データに対応する風速での送風が再現される。
【００４４】
環境測定装置１等から風速データのみが送信されてきた場合、通信部５２が当該風速データを受信する。変換部５１ｃが当該風速データを印加電圧パターンに変換する。電圧制御部５１ｅは、印加電圧パターン信号に基づいてプラグ５４を介して扇風機４０へ供給する電圧を制御する。これにより、扇風機４０では、プラグ５４を介して供給される電圧によりモータが回転され、風速データに対応する風速での送風が再現される。
【００４５】
なお、この制御装置５０は、ブラシモータ、ブラシレスモータのいずれを採用している扇風機に対しても制御可能であり、環境データに係るファイルの中から風速データを抽出し、当該風速データに基づいてモータの回転数を制御する。
【００４６】
（印加電圧の制御）
ここで、図７及び図８を参照して、ＡＣ／ＤＣブラシモータでの風速データと印加電圧パターンとの関係について更に言及する。扇風機２０のフィンの慣性が起因して、扇風機２０のモータ２３に電圧が印加されても所望とする風速まで立ち上がるのに時間を要する。同様に、モータ２３への電圧の印加をストップした場合でも、風速が立下るまでに時間を要する。
【００４７】
つまり、例えば、図７の上段に示されるような印加電圧パターンに基づいて電圧を印加しても、図７の下段に示されるように、所望とする風速に立ち上がるまで、及び風速を完全にゼロに立ち下げるまでにタイムラグが生じてしまう。そこで、この実施形態では、図８に示されるように印加電圧パターンを設定してタイムラグの問題を解消する。
【００４８】
すなわち、図８に示されるように、再生する風速データに係る風速の時間変化に係る傾きが、通常の電圧のＯＮ／ＯＦＦで制御される時間変化、つまり傾きよりも急勾配である場合、立ち上がりの所定時間だけ通常よりも高い電圧を印加して風速の立ち上がりを早くする。一方、短時間で風速を停止させる必要がある場合には、逆の極性の電圧をモータ２３に印加し、ブレーキを掛ける。この制御は、風速データを先読みし、現時点以降の制御を先行して行う。この風速データに対応する印加電圧パターンに係るデータは、扇風機２０等のモータ２３とフィン２４により機種ごとに相違するので、テーブル形式で機種別に記憶部２５に記憶しておく。
【００４９】
制御装置５０を用いる場合、携帯端末１０が対応機種の印加電圧パターンに係るテーブルをファイルで併せて制御装置５０に送信する。制御装置５０では、当該印加電圧パターンに係るテーブルを記憶部５３に記憶し、変換に活用する。携帯端末１０はサーバ３０から扇風機の機種毎の当該印加電圧パターンに係るテーブルをダウンロード可能である。扇風機の機種毎の当該印加電圧パターンは業者やユーザがサーバにアップロードできる。これらのブラシモータでの印加電パターンの制御は、ブラシレスモータではマイクロプロセッサによりモータへの電気パルス信号の周波数の制御で同様に行う。
【００５０】
（風速再現に係る処理の流れ）
以下、図９乃至図１６を参照して、実施形態の送風システムによる送風再現に係る処理の流れを詳細に説明する。
【００５１】
先ず図９のフローチャートを参照して、環境測定装置１と携帯端末１０、扇風機２０間での処理の流れを詳細に説明する。
【００５２】
この処理を開始すると、先ず、環境測定装置１が環境測定を行う（Ｓ１）。より具体的には、計測部３では、風速測定部３ａが風速を測定し、風速信号を制御部２へと送る。温度測定部３ｂは温度を測定し、温度信号を制御部２へと送る。湿度測定部３ｃは湿度を測定し、湿度信号を制御部２へと送る。そして、照度測定部３ｄは照度を測定し、照度信号を制御部２へと送る。但し、一部の測定部のみ機能してもよい。
【００５３】
制御部２では、これらのアナログ信号を受けると、符号化部２ｂがこれら信号を符号化し、風速データ、温度データ、湿度データ、照度データに変換する（Ｓ２）。そして、ファイル生成部２ｃが、これら風速データ、温度データ、湿度データ、照度データを、環境データとして１つのファイルにまとめる（Ｓ３）。主制御部２ａは、環境データに係るファイルを、通信部６を介して携帯端末１０等に送信する（Ｓ４）。なお、このファイルには風速データは必ず含まれるが、他のデータの一部が含まれない場合もある。
【００５４】
携帯端末１０では、制御部１１が通信部１２を介して環境測定装置１からの環境データに係るファイルを受信すると（Ｓ５）、主制御部１１ａが当該ファイルをサーバ装置３０にアップロードするか否かを判断する（Ｓ６）。例えば、携帯端末１０の表示部１４に表示された所定画面において環境ファイルに係るファイルをサーバ装置３０にアップロードすることが選択されると（Ｓ５をＹＥＳ）、制御部１１のファイル登録・取得部１１ｂが当該ファイルをサーバ装置３０にアップロードする（Ｓ７）。一方、アップロードしない場合、ステップＳ７をスキップしてステップＳ８に進む。
【００５５】
続いて、携帯端末１０の主制御部１１は、環境データに係るファイルに基づいて所定の風速の送風を扇風機２０で再生するか否かを判断する（Ｓ８）。ここで、例えば表示部１４に表示された所定の画面において操作部１３による操作がなされて所望とする環境データに係るファイルに基づく再生が選択されると（Ｓ８をＹＥＳ）、再生部１１ｃは当該ファイルを、通信部１２を介して扇風機２０に送信する（Ｓ９）。
【００５６】
扇風機２０では、通信部２２が携帯端末１０から送られてきた環境データに係るファイルを受信すると（Ｓ１０）、制御部２１では、データ抽出部２１ｂが当該ファイルより風速データを抽出する（Ｓ１１）。そして、変換部２１ｃが、記憶部２５に記憶されているテーブルを参照して、風速データを印加電圧パターンに変換する（Ｓ１２）。続いて、復号化部２１ｅは、デジタルの印加電圧パターンをアナログの印加電圧パターン信号に変換する（Ｓ１３）。そして、モータ駆動制御部２１ｅは、印加電圧パターン信号に基づいてモータ２３への印加電圧を制御する（Ｓ１４）。これにより、モータ２３がフィン２４を所定の回転数で回転させ、風速データに対応する風速での送風が再現される。
【００５７】
なお、扇風機２０がモータ２３としてブラシレスＤＣモータを採用する場合、上記処理に代えて、変換部２１ｃは、風速データを電気パルス信号に変換する（Ｓ１２）。続いて、モータ駆動制御部２１ｅは、電気パルス信号に基づいてモータ２３の回転数を制御するようにしてもよい（Ｓ１３，Ｓ１４）。これにより、モータ２３がフィン２４を所定の回転数で回転させ、風速データに対応する風速での送風が再現される。
【００５８】
以上で、環境測定装置１による環境測定から扇風機２０での風速再生までの一連の処理を終了する。
【００５９】
次に図１０のフローチャートを参照して、環境測定装置１と扇風機２０との間での処理の流れを詳細に説明する。
【００６０】
この処理を開始すると、先ず、環境測定装置１が環境測定を行う（Ｓ２１）。より具体的には、計測部３では、風速測定部３ａが風速を測定し、風速信号を制御部２へと送る。
【００６１】
制御部２では、これらの風速信号を受けると、符号化部２ｂがこれら信号を符号化し風速データに変換する（Ｓ２２）。そして、主制御部２ａは、風速データを、通信部６を介して携帯端末１０等に送信する（Ｓ２３）。
【００６２】
扇風機２０では、主制御部２１ａの制御の下、通信部２２が携帯端末１０から送られてきた風速データを受信すると（Ｓ２４）、制御部２１の変換部２１ｃが、記憶部２５に記憶されているテーブルを参照して、風速データを印加電圧パターンに変換する（Ｓ２５）。続いて、復号化部２１ｅがデジタルの印加電圧パターンをアナログの印加電圧パターン信号に変換する（Ｓ２６）。モータ駆動制御部２１ｅは、印加電圧パターン信号に基づいてモータ２３への印加電圧を制御する（Ｓ２７）。これにより、モータ２３がフィン２４を所定の回転数で回転させ、風速データに対応する風速での送風が再現される。
【００６３】
なお、扇風機２０が、モータ２３としてブラシレスＤＣモータを採用する場合、上記処理に代えて、変換部２１ｃは、風速データを電気パルス信号に変換する（Ｓ２５）。続いて、モータ駆動制御部２１ｅは、電気パルス信号に基づいてモータ２３の回転数を制御するようにしてもよい（Ｓ２６，Ｓ２７）。これにより、モータ２３がフィン２４を所定の回転数で回転させ、風速データに対応する風速での送風が再現される。
【００６４】
以上で、環境測定装置１による環境測定から扇風機２０での送風再生までの一連の処理を終了する。
【００６５】
次に図１１のフローチャートを参照して、サーバ装置３０と携帯端末１０、扇風機２０間での処理の流れを詳細に説明する。ここでは、図１２乃至１５の画面構成例を適宜参照して説明を進める。
【００６６】
この処理を開始すると、先ず、携帯端末１０がサーバ装置３０に対して環境データに係るファイルのダウンロード要求を行う（Ｓ３１）。
【００６７】
より具体的には、携帯端末１０は所定の認証を得て、サーバ装置３０の提供するＷｅｂサイトにアクセスし、ダウンロード画面に係るデータを、通信部１２を介して受信し、表示制御部１１ｄの制御の下、表示部１４に図１２に示されるようなダウンロード画面を表示する。図１２の画面構成例では、画面１００では、領域１０１には再生環境に関連する画像が表示され、領域１０２には環境データに係るファイルの登録日時及びタイトルが表示される。所望とするファイルを選択するための選択ボタン１０３も設けられている。この表示の中から操作部１３を操作して選択ボタン１０３を選択し、所望とするファイルが選択されると、図１３に示されるような詳細画面へと移行する。図１３の詳細画面１１０では、領域１１１に選択されたファイルに係る画像が表示され、領域１１２に選択されたファイルの登録日時及びタイトルが表示され、領域１１３に環境データ、画像、動画、音声など、ダウンロード可能なファイルの一覧が表示される。このファイルの中から所望とするものをダウンロードするためのダウンロードボタン１１４が各ファイルに対応して設けられている。例えば、環境データに係るファイルのダウンロードボタン１１４が選択されると、ファイル登録・取得部１１ｂが通信部１２を介してサーバ装置３０に対して当該ファイルのダウンロード要求を行う。
【００６８】
サーバ装置３０は、ダウンロード要求を受信すると（Ｓ３２）、ファイル抽出部３１ｃが該当ファイルをＤＢ３３から抽出し（Ｓ３３）、当該ファイルを主制御部３１ａの制御の下、通信部３２を介して、携帯端末１０に送信する（Ｓ３４）。
【００６９】
携帯端末１０では、制御部１１が通信部１２を介してサーバ装置３０からの環境データに係るファイルを受信すると（Ｓ３５）、携帯端末１０の主制御部１１ａは、環境データに係るファイルに基づいて所定の風速の送風を扇風機２０で再生するか否かを判断することになる（Ｓ３６）。このとき、図１４に示されるような画面１２０を表示部１４に表示し、所望とするファイルを選択できるようにしてもよい。即ち、この画面１２０では、領域１２１には環境データに関する画像が表示され、領域１２２にはファイルの登録日時及びタイトルが表示される。そして、再生ボタン１２３の選択により所望とするファイルの再生が選択できるようになっている。
【００７０】
この表示部１４に表示された画面１２０において操作部１３による操作がなされて所望とする環境データに係るファイルに基づく再生ボタン１２３が選択されると（Ｓ３６をＹＥＳ）、再生部１１ｃは当該ファイルを、通信部１２を介して扇風機２０に送信する（Ｓ３７）。
【００７１】
扇風機２０では、通信部２２が携帯端末１０から送られてきた環境データに係るファイルを受信すると（Ｓ３８）、制御部２１のデータ抽出部２１ｂが当該ファイルより風速データを抽出する（Ｓ３９）。そして、変換部２１ｃが、記憶部２５に記憶されているテーブルを参照して、風速データを印加電圧パターンに変換する（Ｓ４０）。続いて、復号化部２１ｅは、デジタルの印加電圧パターンをアナログの印加電圧パターン信号に変換する（Ｓ４１）。そして、モータ駆動制御部２１ｅは、印加電圧パターン信号に基づいてモータ２３への印加電圧を制御する（Ｓ４２）。これにより、モータ２３がフィン２４を所定の回転数で回転させ、風速データに対応する風速での送風が再現される。
【００７２】
なお、扇風機２０が、モータ２３としてブラシレスＤＣモータを採用する場合には、上記処理に代えて、変換部２１ｃは、風速データを電気パルス信号に変換する（Ｓ４０）。続いて、モータ駆動制御部２１ｅは、電気パルス信号に基づいてモータ２３の回転数を制御するようにしてもよい（Ｓ４１，Ｓ４２）。これにより、モータ２３がフィン２４を所定の回転数で回転させ、風速データに対応する風速での送風が再現される。
【００７３】
以上で、携帯端末１０によるサーバ装置３０からのファイルのダウンロードから扇風機２０での風速再生までの一連の処理を終了する。
【００７４】
上記再生中には、図１５に示されるような画面１３０を携帯端末１０の表示部１４に表示するようにしてもよい。これは環境測定装置１が再生環境に位置する場合を想定しているが、画面１３０の領域１３１には再生中のファイルを示す画像が表示され、その下の領域１３２にはファイルの登録日時及びタイトルと現在（緯度、経度）が表示される。更に下の領域１３４には、気温、湿度、及び照度について、データ環境と現在の環境との対比が表示される。この対比により、再生の実現性を目視で確認することができる。また、ユーザにこのような表示を見せることで、より再現性を高めるべく、別の機器、例えばエアコン、照明、加湿器を操作するように促すことができる。
【００７５】
次に図１６のフローチャートを参照して、サーバ装置３０と携帯端末１０、制御装置５０間での処理の流れを詳細に説明する。
【００７６】
この処理を開始すると、先ず、携帯端末１０がサーバ装置３０に対して環境データに係るファイルと扇風機４０に対応する風速データの変化に対応する印加電圧パターンテーブルのファイルとのダウンロード要求を行う（Ｓ５１）。
【００７７】
サーバ装置３０は、ダウンロード要求を受信すると（Ｓ５２）、ファイル抽出部３１ｃが該当する環境データに係るファイル３３ａをＤＢ３３から抽出し、印加電圧パターンテーブルに係るファイル３４ａをＤＢ３４から抽出し（Ｓ５３）、それらファイルを主制御部３１ａが通信部３２を介して、携帯端末１０に送信する（Ｓ５４）。
【００７８】
携帯端末１０では、制御部１１が通信部１２を介してサーバ装置３０からの環境データに係るファイル３３ａと印加電圧パターンテーブルに係るファイル３４ａを受信すると（Ｓ５５）、携帯端末１０の主制御部１１は、環境データに係るファイル３３ａに基づいて所定の風速の送風を扇風機４０で再生するか否かを判断する（Ｓ５６）。再生する場合（Ｓ５６をＹＥＳ）、再生部１１ｃはファイル３３ａ、３４ａを、通信部１２を介して制御装置５０に送信する（Ｓ５７）。
【００７９】
制御装置５０では、主制御部５１ａの制御の下、通信部５２が携帯端末１０から送られてきた環境データに係るファイル３３ａと印加電圧パターンテーブルに係るファイル３４ａとを受信すると（Ｓ５８）、制御部５１のデータ抽出部５１ｂが当該ファイル３３ａより風速データを抽出する（Ｓ５９）。そして、変換部５１ｃが、ファイル３４ａの印加電圧パターンテーブルを参照して風速データを印加電圧パターンに変換する（Ｓ６０）。復号化部５１ｄは、デジタルの印加電圧パターンをアナログの印加電圧パターン信号に変換する（Ｓ６１）。電圧制御部５１ｅは、印加電圧パターン信号に基づいてプラグ５４を介した扇風機４０への印加電圧を制御する（Ｓ４２）。これにより、扇風機４０のモータがフィンを所定の回転数で回転させ、風速データに対応する風速での送風が再現される。
【００８０】
なお、制御対象の扇風機がモータ２３としてブラシレスＤＣモータを採用する場合、上記処理に代えて、変換部２１ｃは、風速データを電気パルス信号に変換する（Ｓ６０）。続いて、モータ駆動制御部２１ｅは、電気パルス信号に基づいてモータ２３の回転数を制御するようにしてもよい（Ｓ６１，Ｓ６２）。これにより、モータ２３がフィン２４を所定の回転数で回転させ、風速データに対応する風速での送風が再現される。
【００８１】
以上で、携帯端末１０によるサーバ装置３０からのファイルダウンロードから制御装置５０を介した扇風機４０での風速再生までの一連の処理を終了する。
【００８２】
（第２実施形態）
本発明の第２実施形態は、ブラシレスＤＣモータを用いた扇風機による風量再現を実現するものである。
【００８３】
図１７には、ブラシレスＤＣモータを用いた扇風機の構成例を示し説明する。
【００８４】
同図に示されるように、扇風機７０は、全体の制御を司る制御部７１、通信部７２、記憶部７５、操作部７６、ブラシレスＤＣモータ７３、フィン７４を備えている。制御部７１は、記憶部７５に記憶された制御プログラムを読み出して実行することで、主制御部７１ａ、データ抽出部７１ｂ、回転数制御部７１ｃとして機能する。
【００８５】
このような構成において、通信部７２は、主制御部７１ａの制御の下、携帯端末１０等から送られてきた環境データに係るファイルを受信する。データ抽出部７１ｂは、当該ファイルより風速データを抽出する。回転数制御部７１ｃは、風速データに基づいてブラシレスＤＣモータ７３の回転数を制御する。より具体的には、風速データを電気パルス信号に変換し当該電気パルス信号により機械的に断続するステップ動作を当該ブラシレスＤＣモータにより実行することで、所定の風量の再現を実現する。これにより、ブラシレスＤＣモータ７３がフィン７４を所定の回転数で回転させ、風速データに対応する風速での送風が再現される。
【００８６】
環境測定装置１等から風速データのみが送信されてきた場合、通信部７２が主制御部７１ａの制御の下、当該風速データを受信する。回転数制御部７１ｃは、風速データに基づいてブラシレスＤＣモータ７３の回転を制御する。これにより、モータ７３がフィン７４を所定の回転数で回転させ、風速データに対応する風速での送風が再現される。
【００８７】
通信部７２は、Bluetooth（登録商標）（IEEE802.151）、Wi-Fi（IEEE802.11）、Ethernet（登録商標）（IEEE802.3）等をはじめとする各種通信方式により、携帯端末１０や環境測定装置１等との通信が可能である。
【００８８】
このような扇風機７０を制御する場合、図９では、前述した処理に代えて、回転数制御部７１ｃは、風速データに基づいて、モータ７３の回転数を制御する（Ｓ１２，Ｓ１３，Ｓ１４）。これにより、モータ７３がフィン７４を所定の回転数で回転させ、風速データに対応する風速での送風が再現される。
【００８９】
また、図１０では、前述した処理に代えて、回転数制御部７１ｃは、風速データに基づいて、ブラシレスＤＣモータ７３の回転数を制御する（Ｓ２５，Ｓ２６，Ｓ２７）。これにより、ブラシレスＤＣモータ７３がフィン７４を所定の回転数で回転させ、風速データに対応する風速での送風が再現される。
【００９０】
また、図１１では、前述した処理に代えて、回転数制御部７１ｃは、風速データに基づいて、ブラシレスＤＣモータ７３の回転数を制御する（Ｓ４０，Ｓ４１，Ｓ４２）。これにより、ブラシレスＤＣモータ７３がフィン７４を所定の回転数で回転させ、風速データに対応する風速での送風が再現される。
【００９１】
また、図１６では、前述した処理に代えて、回転数制御部７１ｃは、風速データに基づいて、ブラシレスＤＣモータ７３の回転数を制御する（Ｓ６０，Ｓ６１，Ｓ６２）。これにより、ブラシレスＤＣモータ７３がフィン７４を所定の回転数で回転させ、風速データに対応する風速での送風が再現される。
【００９２】
（第３実施形態）
本発明の第２実施形態は、エアーコンディショナ装置（以下、エアコンと略記）による風量再現を実現するものである。
【００９３】
図１８には、エアコンの構成例を示し説明する。
【００９４】
同図に示されるように、扇風機８０は、全体の制御を司る制御部８１、通信部８２、送風部８３、記憶部８４、操作部８５、及び送風部８３を備えている。制御部８１は、記憶部８４に記憶された制御プログラムを読み出して実行することで、主制御部８１ａ、データ抽出部８１ｂ、風量制御部８１ｃとして機能する。
【００９５】
このような構成において、通信部８２は、主制御部８１ａの制御の下、携帯端末１０等から送られてきた環境データに係るファイルを受信する。データ抽出部８１ｂは、当該ファイルより風速データを抽出する。風量制御部８１ｃは、風速データに基づいて送風部８３による送風の風量を制御する。風速データに対応する風速での送風が再現される。
【００９６】
環境測定装置１等から風速データのみが送信されてきた場合、通信部８２が主制御部８１ａの制御の下、当該風速データを受信する。風量制御部８１ｃは、風速データに基づいて送風部８３による送風の風量を制御する。これにより、風速データに対応する風速での送風が再現される。
【００９７】
通信部８２は、Bluetooth（登録商標）（IEEE802.151）、Wi-Fi（IEEE802.11）、Ethernet（登録商標）（IEEE802.3）等をはじめとする各種通信方式により、携帯端末１０や環境測定装置１等との通信が可能である。
【００９８】
このようなエアコン８２を制御する場合、図９では、前述した処理に代えて、風量制御部８１ｃは、風速データに基づいて、送風部８３による送風の風量を制御する（Ｓ１２，Ｓ１３，Ｓ１４）。これにより、風速データに対応する風速での送風が再現される。
【００９９】
また、図１０では、前述した処理に代えて、風量制御部８１ｃは、風速データに基づいて、送風部８３の送風の風量を制御する（Ｓ２５，Ｓ２６，Ｓ２７）。これにより、風速データに対応する風速での送風が再現される。
【０１００】
また、図１１では、前述した処理に代えて、風量制御部８１ｃは、風速データに基づいて、送風部の送風の風量を制御する（Ｓ４０，Ｓ４１，Ｓ４２）。これにより、風速データに対応する風速での送風が再現される。
【０１０１】
また、図１６では、前述した処理に代えて、風量制御部８１ｃは、風速データに基づいて、送風部の送風の風量を制御する（Ｓ６０，Ｓ６１，Ｓ６２）。これにより、風速データに対応する風速での送風が再現される。
【０１０２】
（第４実施形態）
本発明の第４実施形態は、環境測定装置１の機能に遠隔操作機能を付加して遠隔操作装置として用いるものである。
【０１０３】
図１９には、遠隔操作装置の構成例を示し説明する。遠隔操作装置９０は、環境測定装置１と携帯端末１０双方の機能を兼ね備えたものであり、扇風機の機種毎の専用リモートコントロール装置（リモコン）である。
【０１０４】
同図に示されるように、遠隔操作装置９０は、全体の制御を司る制御部９１計測部９２、表示部９３、操作部９４、通信部９５、記憶部９６、電源９７、そして電源スイッチ（ＳＷ）９８を備えている。制御部９１は、記憶部９６に記憶された制御プログラムを読み出し実行することで主制御部９１ａ、符号化部９１ｂ、ファイル生成部９１ｃ、表示制御部９１ｄ、ファイル登録部９１ｅ、及び再生部９１ｆとして機能する。計測部９２は、環境測定用の各種センサからなり、風速測定部９２ａ、温度測定部９２ｂ、湿度測定部９２ｃ、照度測定部９２ｄを備えている。尚、遠隔操作装置９０は、計測部９２を備えない構成でも実現可能である。
【０１０５】
このような構成において、計測部９２では、風速測定部９２ａが風速を測定し、風速信号を制御部９１へと送る。温度測定部９２ｂは温度を測定し、温度信号を制御部９１へと送る。湿度測定部９２ｃは湿度を測定し、湿度信号を制御部９１へと送る。そして、照度測定部９２ｄは照度を測定し、照度信号を制御部９１へと送る。制御部９１では、これらのアナログ信号を受けると、符号化部９１ｂが該信号を符号化（デジタル化）し、風速データ、温度データ、湿度データ、照度データにそれぞれ変換する。そして、ファイル生成部９１ｃが、これら風速データ、温度データ、湿度データ、照度データを、環境データとして１つのファイルにまとめる。主制御部９１ａは、環境データに係るファイルを、通信部９５を介して扇風機２０に送信する。あるいは、主制御部９１ａは、風速データのみを通信部９５を介して、扇風機２０等に送信する。
【０１０６】
主制御部９１ａは、環境データに係るファイルの送信先アドレスが設定されている場合には、当該アドレスに、所定のタイミングでファイルを、あるいはリアルタイムで風速データを送信するように制御することもできる。
【０１０７】
ファイル登録部９１ｅは、上記ファイル生成部９１ｃが生成した環境データに係るファイルをサーバ装置３０に登録することができる。また、再生部９１ｆは、サーバ装置３０から既に登録されているファイルを読み出し、再生することができる。ここで、再生とは当該ファイルを扇風機２０等に送信することで、当該ファイルの環境データに係る風量による送風を実現するものである。
【０１０８】
遠隔操作装置９０の各部には、電源９７より電源供給されており、電源スイッチ９８によりＯＮ／ＯＦＦの切り替えが可能となっている。表示制御部９１は、表示部９３に環境データに係る測定値等を表示するよう制御する。このほか、操作部９４は、計測部９２の各部９２ａ乃至９２ｄの中から測定対象を選択したり、扇風機２０等により再生する環境データに係るファイルを選択したりするなど、各種操作を行うものである。この選択された内容は表示制御部９１ｄの制御により表示部９４に表示してもよい。
【０１０９】
通信部６は、例えば、Bluetooth（登録商標）（IEEE802.151）、Wi-Fi（IEEE802.11）、Ethernet（登録商標）（IEEE802.3）等をはじめとする各種通信方式により、制御装置５０、扇風機２０等との通信が可能である。
【０１１０】
以上の構成により、遠隔操作装置９０は、各種環境データの測定と、当該環境データに係るファイルの生成、サーバ装置３０へのアップロード、更には既にサーバ装置３０に登録されているファイルの再生による扇風機２０等での送風の実現を可能とする。また、ユーザの要望によっては計測部９２を除外し、扇風機の電源ON/OFF、風速制御といった一般的なリモコンの機能に加えて、環境データファイルの送受信のみを行う形式も考えられる。
【０１１１】
以上、本発明によれば、環境測定装置により、ユーザが所望とする場所で風速等の環境データを収集することができ、それら環境データに係るファイルに基づいて、事後的に扇風機で同じ風速での送風を実現することができる。あるいは、選択された環境に環境測定装置を設置しておければ、遠隔にいながらにして、リアルタイムであるいは事後的に当該設置場所での風速と同じ風速での送風を実現することができる。サーバにユーザが収集した全世界の環境データをダウンロードすることにより、希望する日時、場所の同じ風速での送風を体感することができる。
【０１１２】
また、制御装置を間接ユニットとして活用すれば、一般的な市販されている扇風機を用いた場合でも同様の送風再生が可能となる。また、環境測定装置で収集された環境データに係るファイルはサーバ装置に登録され、携帯端末などによりダウンロード可能となっているので、ユーザは所望とする場所等における環境データに係るファイルをダウンロードすれば、いつでも当該環境データに基づく送風再生が可能となる。
【０１１３】
以上、本発明の実施形態について説明したが、本発明はこれに限定されることなく、その趣旨を逸脱しない範囲で種々の改良・変更が可能である。例えば、上記扇風機としてはモータの駆動力によりフィンを駆動することで当該フィンの旋回により送風を実現する種類のものに限定されず、所定の筐体に収められたモータによりフィンを駆動し当該筐体の上部に配設された送風部のスリットより上記フィン旋回により風を排出し、そのときに周囲の風も巻き込みフィン旋回により生じた風の十数倍の送風を実現するような送風機に対しても適用可能であることは勿論である。
【０１１４】
また、環境測定装置が扇風機により再現される風速に対する補正機能を更に備えてもよい。この補正機能は、主制御部の機能として実現される。一般に、扇風機は、ユーザの所在する位置から１ｍのところに配置したのと、３ｍのところに配置したのでは、同じモータの回転数により送風しても体感する風速は異なってくる。そこで、環境測定装置に補正モードを設けることで、体感する風速を記録時の風速により近づけることもできる。
【０１１５】
以下、図２０のフローチャートを参照して、補正機能について更に言及する。ここでは図１及び図４を適宜参照し、同一符号を用いて説明を進める。ユーザは、自己が扇風機との関係で位置すべき場所（例えば、くつろぐソファーの位置など）につくと、環境測定装置１を扇風機２０の方に向けて補正モード下で起動する（Ｓ７１）。すると、環境測定装置１の主制御部２は、扇風機２０に対して風速が徐々に加速するような風速データを連続的に送信する（Ｓ７２）。扇風機は、この風速データをリアルタイムで受信し（Ｓ７３）、前述したように風量制御を実施する（Ｓ７４）。即ち、例えば、モータがブラシＤＣモータであれば印加電圧パターンに変換し、モータによりフィンを回転させ、送風を再現する。一方、モータがブラシレスＤＣモータであれば、対応する電気パルス信号に変換し、モータによりフィンを回転させ、送風を再現する（Ｓ７５）。環境測定装置１は、風速測定部３ａが、この送風の風速を計測し（Ｓ７６）、主制御部２ａは当該風速信号を受けると現在の風速を検出する（Ｓ７７）。基準値となる風速に現在の風速が合致していなければステップＳ７２に戻り、上記処理を繰り返す。一方、基準値となる風速に現在の風速が合致すると（Ｓ７８をＹｅｓに分岐）、そのときの風速データを、当該基準値を実現するための風速データとして扱うべく、主制御部２ａは、扇風機２０に合致信号を送信する（Ｓ７９）。扇風機２０は、この合致信号を受信すると（Ｓ８０）、主制御部２１が基準値と風速データとの対応関係を補正データとして記憶部２５に記憶する（Ｓ８１）。こうして、補正モード下の処理を終了する。これ以降は、風速再現の際には、例えば、モータがブラシＤＣモータであれば、印加電圧パターンテーブル参照により印加電圧パターンを求める際に、風量制御部２１ｆは、記憶部２５に記憶された当該補正データを加味する。例えば、扇風機２０とユーザとの距離が遠い場合には、印加電圧を補正してモータの回転数を増加するなどして対応する。これにより、扇風機２０で再現される風速はユーザの体感が測定値に近いものとなるように調整されることになる。
【０１１６】
なお、扇風機２０は、１ｍ、２ｍ、３ｍといった通常使用される代表的な距離については、あらかじめ機種毎の電圧補正値を記憶部２５に登録しておく。環境測定装置１による精密な補正が必要ない場合は、扇風機２０の操作部２６を直接操作して任意の距離に対する電圧補正の設定を行ってもよい。
【０１１７】
また、環境測定装置１、環境測定装置１と連動する携帯端末１０、または計測部９２を備えた遠隔制御装置９０は、扇風機２０又はエアコンの風量と同時に照明の照度、エアコンによる温度及び湿度設定の少なくともいずれかを同時に、前述した補正機能を使用して制御することも可能である。即ち、環境測定装置１、携帯端末１０、遠隔制御装置９０の主制御部は、照度制御型照明器具に対しては照度が徐々に増加するような機器の機種毎に設定された制御信号を連続的に送信する。照明器具は、これらの制御信号をリアルタイムで受信し、照度を増加する。環境測定装置１、遠隔制御装置９０の計測部９２は、使用しているファイルが指定する照度に達した時点で照明器具の制御を停止する。一方、エアコンは、設定された温度及び湿度の少なくともいずれかに基づいて送風を行う。この機能により、ユーザはファイルに指定された環境情報に対応した扇風機又はエアコンの風量に加えて、照明器具による所定の照度の発光、エアコンによる所定の温度及び湿度の少なくともいずれかによる送風が体感できる。
【０１１８】
また、風速情報ファイル（環境データに係る風速データを含むファイルなど）を携帯端末又はデスクトップ型ＰＣ、即ち操作端末で編集し、扇風機又はエアコン等に送信することで、ユーザが所望とする独自の風パターンの再生環境を提供することもできる。この場合、送風システムは、操作端末と、扇風機又はエアコンとが通信自在に接続された送風システムとなり、上記操作端末は、上記扇風機と通信する第１の通信部と、環境測定装置の風速情報ファイルを編集し、編集した風速情報ファイルを上記扇風機又はエアコンに送信するよう制御する主制御部と、を備え、上記扇風機又はエアコンは、上記操作端末と通信する第２の通信部と、フィンを駆動するための駆動部と、上記風速情報ファイルより風速データを抽出するデータ抽出部と、上記風速データに基づいて上記駆動部の回転数を制御する制御部とを備えることとなる。
【符号の説明】
【０１１９】
１…環境測定装置、２…制御部、２ａ…主制御部、２ｂ…符号化部、２ｃ…ファイル生成部、２ｄ…表示制御部、３…計測部、３ａ…風速測定部、３ｂ…温度測定部、３ｃ…湿度測定部、３ｄ…照度測定部、４…表示部、５…操作部、６…通信部、７…記憶部、８…電源、９…電源ＳＷ、１０…携帯端末、１１…制御部、１１ａ…主制御部、１１ｂ…ファイル登録・取得部、１１ｃ…再生部、１１ｄ…表示制御部、１２…通信部、１３…操作部、１４…表示部、１５…記憶部、２０…扇風機、２１…制御部、２１ａ…主制御部、２１ｂ…データ抽出部、２１ｃ…変換部、２１ｄ…復号化部、２１ｅ…モータ駆動制御部、２２…通信部、２３…モータ、２４…フィン、２５…記憶部、２６…操作部、３０…サーバ、３１…制御部、３１ａ…主制御部、３１ｂ…ファイル登録部、３１ｃ…ファイル抽出部、３２…通信部、３３…ＤＢ、３４…ＤＢ、４０…扇風機、５０…制御装置、５１…制御部、５１ａ…主制御部、５１ｂ…データ抽出部、５１ｃ…変換部、５１ｄ…復号化部、５１ｅ…電圧制御部、５２…通信部、５３…記憶部、５４…プラグ。
【図１】
2017048777.tif 000003
【図２】
2017048777.tif 000004
【図３】
2017048777.tif 000005
【図４】
2017048777.tif 000006
【図５】
2017048777.tif 000007
【図６】
2017048777.tif 000008
【図７】
2017048777.tif 000009
【図８】
2017048777.tif 000010
【図９】
2017048777.tif 000011
【図１０】
2017048777.tif 000012
【図１１】
2017048777.tif 000013
【図１２】
2017048777.tif 000014
【図１３】
2017048777.tif 000015
【図１４】
2017048777.tif 000016
【図１５】
2017048777.tif 000017
【図１６】
2017048777.tif 000018
【図１７】
2017048777.tif 000019
【図１８】
2017048777.tif 000020
【図１９】
2017048777.tif 000021
【図２０】
2017048777.tif 000022
【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
環境データを収集する環境測定装置と、携帯端末と、扇風機とが通信自在に接続された送風システムであって、
上記環境測定装置は、
少なくとも設置場所の風速を測定する計測部と、
上記計測部で計測された風速信号を風速データに変換する符号化部と、
上記風速データを含むファイルを生成するファイル生成部と、
上記ファイルを携帯端末あるいは扇風機に送信する第１の通信部と、
を備え、
上記携帯端末は、
上記環境測定装置、及び上記扇風機と通信する第２の通信部と、
上記環境測定装置からのファイルを受信し、当該ファイルを上記扇風機に送信するよう制御する主制御部と、
を備え、
上記扇風機は、
上記環境測定装置、及び上記携帯端末と通信する第３の通信部と、
フィンを駆動するための駆動部と、
上記風速データを含むファイルより風速データを抽出するデータ抽出部と、
上記風速データに基づいて上記駆動部の回転数を制御する制御部と、
を備えた、
ことを特徴とする送風システム。
【請求項２】
環境測定装置が収集した環境データに係るファイルを保持するためのデータベースを有するサーバ装置と通信自在な携帯端末と、扇風機とからなる送風システムであって、
上記携帯端末は、
上記サーバ装置、及び上記扇風機と通信する第１の通信部と、
上記サーバ装置より風速データを含む環境データに係るファイルを取得し、当該ファイルを上記扇風機に送信するよう制御する主制御部と、
を備え、
上記扇風機は、
上記携帯端末と通信する第２の通信部と、
フィンを駆動するための駆動部と、
上記ファイルより上記風速データを抽出するデータ抽出部と、
上記風速データに基づいて上記駆動部の回数数を制御する制御部と、
を備えた、
ことを特徴とする送風システム。
【請求項３】
風速データを含む環境データに係るファイルを生成する環境測定装置、及び携帯端末と通信自在であり、アップロードされた当該環境データを共有、保存し、上記風速データに基づく送風の再現が扇風機で実現されるように支援するサーバ装置であって、
上記環境測定装置、及び上記携帯端末と通信する通信部と、
上記環境データに係るファイルを保持するためのデータベースと、
上記データベースに上記環境測定装置、或は上記携帯端末から送信された環境データに係るファイルを登録するファイル登録部と、
上記携帯端末からの要求に基づき上記データベースより環境データに係るファイルを抽出するファイル抽出部と、
上記抽出したファイルを上記携帯端末に送信するよう制御する主制御部と、を備える
サーバ装置。
【請求項４】
環境データを収集する環境測定装置と、携帯端末と、エアコンとが通信自在に接続された送風システムであって、
上記環境測定装置は、
少なくとも設置場所の風速を測定する計測部と、
上記計測部で計測された風速信号を風速データに変換する符号化部と、
上記風速データを含むファイルを生成するファイル生成部と、
上記ファイルを上記携帯端末あるいは上記エアコンに送信する第１の通信部と、
を備え、
上記携帯端末は、
上記環境測定装置、及び上記エアコンと通信する第２の通信部と、
上記環境測定装置からのファイルを受信し、当該ファイルを上記エアコンに送信するよう制御する主制御部と、
を備え、
上記エアコンは、
上記環境測定装置、及び上記携帯端末と通信する第３の通信部と、
送風を行う送風部と、
上記風速データを含むファイルより上記風速データを抽出するデータ抽出部と、
上記風速データに基づいて上記送風部による送風の風量を制御する風量制御部と、
を備えた、
ことを特徴とする送風システム。
【請求項５】
環境データを収集する環境測定装置と、扇風機とが通信自在に接続された送風システムであって、
上記環境測定装置は、
少なくとも設置場所の風速を測定する計測部と、
上記計測部で計測された風速信号を風速データに変換する符号化部と、
上記風速データを含むファイルを生成するファイル生成部と、
上記ファイルを扇風機に送信する第１の通信部と、
上記測定値に基づいて風速を検出する第１の主制御部と、
を備え、
上記扇風機は、
上記環境測定装置と通信する第２の通信部と、
フィンを駆動するための駆動部と、
上記風速データを含むファイルより上記風速データを抽出するデータ抽出部と、
上記風速データに基づいて上記駆動部の回転数を制御する風量制御部と、
補正データを記憶部に記憶する第２の主制御部と、
補正データを記憶する記憶部と、
を備え、
上記環境測定装置は、上記第１の主制御部が風速を徐々に加速するような風速データを連続的に送信し、上記扇風機は、上記風速データを受信し、上記風量制御部による回転数制御を実行し、上記環境測定装置は、上記計測部が風速を計測し、上記主制御部が現在の風速を検出し、基準値となる風速に現在の風速が合致すると合致信号を上記扇風機に送信し、上記扇風機は、上記合致信号を受信すると、上記第２の主制御部が基準値と風速データとの対応関係を補正データとして上記記憶部に記憶する
ことを特徴とする送風システム。
【請求項６】
環境データを収集する機能を備えた遠隔操作装置と、扇風機とが通信自在に接続された送風システムであって、
上記遠隔操作装置は、
少なくとも設置場所の風速を測定する計測部と、
上記計測部で計測された風速信号を風速データに変換する符号化部と、
上記風速データを含むファイルを生成するファイル生成部と、
上記ファイルを扇風機に送信する第１の通信部と、
上記測定値に基づいて風速を検出する第１の主制御部と、
を備え、
上記扇風機は、
上記遠隔操作装置と通信する第２の通信部と、
フィンを駆動するための駆動部と、
上記風速データを含むファイルより上記風速データを抽出するデータ抽出部と、
上記風速データに基づいて上記駆動部の回転数を制御する風量制御部と、
補正データを記憶部に記憶する第２の主制御部と、
補正データを記憶する記憶部と、
を備え、
上記遠隔操作装置は、第１の主制御部が風速を徐々に加速するような風速データを連続的に送信し、上記扇風機は、上記風速データを受信し、上記風量制御部による回転数制御を実行し、上記遠隔操作装置は、上記計測部が風速を計測し、上記主制御部が現在の風速を検出し、基準値となる風速に現在の風速が合致すると合致信号を上記扇風機に送信し、上記扇風機は、上記合致信号を受信すると、上記第２の主制御部が基準値と風速データとの対応関係を補正データとして上記記憶部に記憶する
ことを特徴とする送風システム。
【請求項７】
環境データに係るファイルを生成する環境測定装置と環境測定装置が収集した環境データに係るファイルを保持するためのデータベースを有するサーバ装置と通信自在な操作端末と、扇風機とが通信自在に接続された送風システムであって、
上記操作端末は、
上記扇風機と通信する第１の通信部と、
上記環境測定装置、及びサーバ装置より風速データを含む環境データに係るファイルを取得し、独自の風パターンを実現するために環境データに係る風速データを含むファイルを編集し、編集した環境データに係るファイルを上記扇風機に送信するよう制御する主制御部と、
を備え、
上記扇風機は、
上記操作端末と通信する第２の通信部と、
フィンを駆動するための駆動部と、
上記風速情報ファイルより上記風速データを抽出するデータ抽出部と、
上記風速データに基づいて上記駆動部の回転数を制御する制御部と、を備えた
ことを特徴とする送風システム。
【手続補正２】
【補正対象書類名】明細書
【補正対象項目名】０００９
【補正方法】変更
【補正の内容】
【０００９】
請求項１乃至請求項６に係る発明によれば、ユーザが所望とする場所の環境状態を測定可能な環境測定装置で測定された環境状態に基づいて当該場所の風速をリアルタイム、あるいは事後的に再現する送風システム、及びサーバ装置を提供できる。加えて、請求項７に係る発明によれば、既存の風速情報ファイル（環境データに係る風速データを含むファイルなど）を、使用者の好みに合わせて携帯端末又はパーソナルコンピュータで編集し、扇風機等に送信することで、ユーザが所望とする独自の風パターンの再生環境を提供することもできる。
【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
環境データを収集する環境測定装置と、携帯端末と、扇風機とが通信自在に接続された送風システムであって、
上記環境測定装置は、
少なくとも設置場所の風速を測定する計測部と、
上記計測部で計測された風速信号を風速データに変換する符号化部と、
風パターンを再現するために記録された上記風速データを含むファイルを生成するファイル生成部と、
上記ファイルを携帯端末あるいは扇風機に送信する第１の通信部と、
を備え、
上記携帯端末は、
上記環境測定装置、及び上記扇風機と通信する第２の通信部と、
上記環境測定装置からのファイルを受信し、当該ファイルを上記扇風機に送信するよう制御する主制御部と、
を備え、
上記扇風機は、
上記環境測定装置、及び上記携帯端末と通信する第３の通信部と、
フィンを駆動するための駆動部と、
上記風速データを含むファイルより風速データを抽出するデータ抽出部と、
上記風速データに基づいて上記駆動部への電気パルス信号の周波数制御により回転数を制御する制御部と、
を備えた、
ことを特徴とする送風システム。
【請求項２】
環境測定装置が収集した環境データに係るファイルを保持するためのデータベースを有するサーバ装置と通信自在な携帯端末と、扇風機とからなる送風システムであって、
上記携帯端末は、
上記サーバ装置、及び上記扇風機と通信する第１の通信部と、
上記サーバ装置より風速データを含む環境データに係るファイルを取得し、当該ファイルを上記扇風機に送信するよう制御する主制御部と、
を備え、
上記扇風機は、
上記携帯端末と通信する第２の通信部と、
フィンを駆動するための駆動部と、
上記ファイルより上記風速データを抽出するデータ抽出部と、
上記風パターンを再現するために記録された風速データに基づいて上記駆動部への電気パルス信号の周波数制御により回数数を制御する制御部と、
を備えた、
ことを特徴とする送風システム。
【請求項３】
環境データを収集する環境測定装置と、扇風機とが通信自在に接続された送風システムであって、
上記環境測定装置は、
少なくとも設置場所の風速を測定する計測部と、
上記計測部で計測された風速信号を風速データに変換する符号化部と、
上記風速データを含むファイルを生成するファイル生成部と、
上記ファイルを扇風機に送信する第１の通信部と、
上記測定値に基づいて風速を検出する第１の主制御部と、
を備え、
上記扇風機は、
上記環境測定装置と通信する第２の通信部と、
フィンを駆動するための駆動部と、
上記風速データを含むファイルより上記風速データを抽出するデータ抽出部と、
上記風速データに基づいて上記駆動部回転数を制御する風量制御部と、
補正データを記憶部に記憶する第２の主制御部と、
補正データを記憶する記憶部と、
を備え、
上記環境測定装置は、上記第１の主制御部が風速を徐々に加速するような風速データを連続的に送信し、上記扇風機は、上記風速データを受信し、上記風量制御部による回転数制御を実行し、上記環境測定装置は、上記計測部が風速を計測し、上記主制御部が現在の風速を検出し、基準値となる風速に現在の風速が合致すると合致信号を上記扇風機に送信し、上記扇風機は、上記合致信号を受信すると、上記第２の主制御部が基準値と風速データとの対応関係を補正データとして上記記憶部に記憶する
ことを特徴とする送風システム。
【請求項４】
環境データを収集する機能を備えた遠隔操作装置と、扇風機とが通信自在に接続された送風システムであって、
上記遠隔操作装置は、
少なくとも設置場所の風速を測定する計測部と、
上記計測部で計測された風速信号を風速データに変換する符号化部と、
上記風速データを含むファイルを生成するファイル生成部と、
上記ファイルを扇風機に送信する第１の通信部と、
上記測定値に基づいて風速を検出する第１の主制御部と、
を備え、
上記扇風機は、
上記遠隔操作装置と通信する第２の通信部と、
フィンを駆動するための駆動部と、
上記風速データを含むファイルより上記風速データを抽出するデータ抽出部と、
上記風速データに基づいて上記駆動部の回転数を制御する風量制御部と、
補正データを記憶部に記憶する第２の主制御部と、
補正データを記憶する記憶部と、
を備え、
上記遠隔操作装置は、第１の主制御部が風速を徐々に加速するような風速データを連続的に送信し、上記扇風機は、上記風速データを受信し、上記風量制御部による回転数制御を実行し、上記遠隔操作装置は、上記計測部が風速を計測し、上記主制御部が現在の風速を検出し、基準値となる風速に現在の風速が合致すると合致信号を上記扇風機に送信し、上記扇風機は、上記合致信号を受信すると、上記第２の主制御部が基準値と風速データとの対応関係を補正データとして上記記憶部に記憶する
ことを特徴とする送風システム。
【請求項５】
風パターンを再現するために記録された風速データを含む環境データに係るファイルを生成する環境測定装置と環境測定装置が収集した環境データに係るファイルを保持するためのデータベースを有するサーバ装置と通信自在な操作端末と、扇風機とが通信自在に接続された送風システムであって、
上記操作端末は、
上記扇風機と通信する第１の通信部と、
上記環境測定装置、及びサーバ装置より風速データを含む環境データに係るファイルを取得し、独自の風パターンを実現するために環境データに係る風速データを含むファイルを編集し、編集した環境データに係るファイルを上記扇風機に送信するよう制御する主制御部と、
を備え、
上記扇風機は、
上記操作端末と通信する第２の通信部と、
フィンを駆動するための駆動部と、
上記ファイルより上記風速データを抽出するデータ抽出部と、
上記風速データに基づいて上記駆動部への電気パルス信号の周波数制御により回転数を制御する制御部と、を備えた
ことを特徴とする送風システム。
【手続補正２】
【補正対象書類名】明細書
【補正対象項目名】０００９
【補正方法】変更
【補正の内容】
【０００９】
請求項１乃至請求項４に係る発明によれば、ユーザが所望とする場所の環境状態を測定可能な環境測定装置で測定された環境状態に基づいて当該場所の風速をリアルタイム、あるいは事後的に再現する送風システムを提供できる。加えて、請求項５に係る発明によれば、既存の風速情報ファイル（環境データに係る風速データを含むファイルなど）を、使用者の好みに合わせて携帯端末又はパーソナルコンピュータで編集し、扇風機等に送信することで、ユーザが所望とする独自の風パターンの再生環境を提供することもできる。
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
環境データを収集する環境測定装置と、扇風機とが通信自在に接続された送風システムであって、
上記環境測定装置は、
少なくとも設置場所の風速を測定する計測部と、
上記計測部で計測された風速信号を風速データに変換する符号化部と、
上記風速データを含むファイルを生成するファイル生成部と、
上記ファイルを扇風機に送信する第１の通信部と、
上記測定値に基づいて風速を検出する第１の主制御部と、
を備え、
上記扇風機は、
上記環境測定装置と通信する第２の通信部と、
フィンを駆動するための駆動部と、
上記風速データを含むファイルより上記風速データを抽出するデータ抽出部と、
上記風速データに基づいて上記駆動部回転数を制御する風量制御部と、
補正データを記憶部に記憶する第２の主制御部と、
補正データを記憶する記憶部と、
を備え、
上記環境測定装置は、上記第１の主制御部が風速を徐々に加速するような風速データを連続的に送信し、上記扇風機は、上記風速データを受信し、上記風量制御部による回転数制御を実行し、上記環境測定装置は、上記計測部が風速を計測し、上記主制御部が現在の風速を検出し、基準値となる風速に現在の風速が合致すると合致信号を上記扇風機に送信し、上記扇風機は、上記合致信号を受信すると、上記第２の主制御部が基準値と風速データとの対応関係を補正データとして上記記憶部に記憶する
ことを特徴とする送風システム。
【請求項２】
環境データを収集する機能を備えた遠隔操作装置と、扇風機とが通信自在に接続された送風システムであって、
上記遠隔操作装置は、
少なくとも設置場所の風速を測定する計測部と、
上記計測部で計測された風速信号を風速データに変換する符号化部と、
上記風速データを含むファイルを生成するファイル生成部と、
上記ファイルを扇風機に送信する第１の通信部と、
上記測定値に基づいて風速を検出する第１の主制御部と、
を備え、
上記扇風機は、
上記遠隔操作装置と通信する第２の通信部と、
フィンを駆動するための駆動部と、
上記風速データを含むファイルより上記風速データを抽出するデータ抽出部と、
上記風速データに基づいて上記駆動部の回転数を制御する風量制御部と、
補正データを記憶部に記憶する第２の主制御部と、
補正データを記憶する記憶部と、
を備え、
上記遠隔操作装置は、第１の主制御部が風速を徐々に加速するような風速データを連続的に送信し、上記扇風機は、上記風速データを受信し、上記風量制御部による回転数制御を実行し、上記遠隔操作装置は、上記計測部が風速を計測し、上記主制御部が現在の風速を検出し、基準値となる風速に現在の風速が合致すると合致信号を上記扇風機に送信し、上記扇風機は、上記合致信号を受信すると、上記第２の主制御部が基準値と風速データとの対応関係を補正データとして上記記憶部に記憶する
ことを特徴とする送風システム。
【請求項３】
風パターンを再現するために記録された風速データを含む環境データに係るファイルを生成する環境測定装置と環境測定装置が収集した環境データに係るファイルを保持するためのデータベースを有するサーバ装置と通信自在な操作端末と、扇風機とが通信自在に接続された送風システムであって、
上記操作端末は、
上記扇風機と通信する第１の通信部と、
上記環境測定装置、及びサーバ装置より風速データを含む環境データに係るファイルを取得し、独自の風パターンを実現するために環境データに係る風速データを含むファイルを編集し、編集した環境データに係るファイルを上記扇風機に送信するよう制御する主制御部と、
を備え、
上記扇風機は、
上記操作端末と通信する第２の通信部と、
フィンを駆動するための駆動部と、
上記ファイルより上記風速データを抽出するデータ抽出部と、
上記風速データに基づいて上記駆動部への電気パルス信号の周波数制御により回転数を制御する制御部と、を備えた
ことを特徴とする送風システム。
【手続補正２】
【補正対象書類名】明細書
【補正対象項目名】０００９
【補正方法】変更
【補正の内容】
【０００９】
請求項１乃至請求項２に係る発明によれば、ユーザが所望とする場所の環境状態を測定可能な環境測定装置で測定された環境状態に基づいて当該場所の風速をリアルタイム、あるいは事後的に再現する送風システムを提供できる。加えて、請求項３に係る発明によれば、既存の風速情報ファイル（環境データに係る風速データを含むファイルなど）を、使用者の好みに合わせて携帯端末又はパーソナルコンピュータで編集し、扇風機等に送信することで、ユーザが所望とする独自の風パターンの再生環境を提供することもできる。